(57)【特許請求の範囲】
【請求項１】
番組情報を受信する第１の受信手段と、
コマーシャル情報を受信する第２の受信手段と、
上記第２の受信手段により受信されたコマーシャル情報を格納する格納手段と、
上記コマーシャル情報に関する条件設定を行う条件設定手段と、
上記条件設定手段により設定された条件を表す条件設定データを生成して、当該条件設定データを、上記コマーシャル情報を供給する供給元へ送信する条件設定データ送信手段と、
上記条件設定手段により設定された条件に基づいて、上記番組情報と上記格納手段に格納されているコマーシャル情報とを組み合わせて合成データを生成する合成データ生成手段と、
上記コマーシャル情報に関連するコマーシャル関連情報の要求が入力される要求入力手段と、
上記合成データが出力されて上記コマーシャル情報が表示されているときに上記要求入力手段に当該コマーシャル情報に関連するコマーシャル関連情報の要求が入力されると、当該要求に対応して、コマーシャル関連情報要求を、上記コマーシャル関連情報を供給する供給元へ送信するコマーシャル関連情報要求手段と、
上記コマーシャル関連情報要求に応じて上記コマーシャル関連情報を供給する供給元から送信されたコマーシャル関連情報を受信する第３の受信手段と
を有する情報受信装置。
【請求項２】
上記条件設定手段は、
上記番組情報と上記コマーシャル情報の組み合わせ比率を変更することで番組情報に対するコマーシャル情報の表示回数を設定可能とする
請求項１に記載の情報受信装置。
【請求項３】
上記条件設定手段は、
上記コマーシャル情報の分類を選択設定可能とする
請求項１に記載の情報受信装置。
【請求項４】
上記条件設定手段は、
上記コマーシャル情報の表示可否設定が可能である
請求項１に記載の情報受信装置。
【請求項５】
上記番組情報は、番組放送であり、
上記コマーシャル情報は、コマーシャル放送であり、
上記合成データ生成手段は、
上記条件設定手段の設定に従って、番組放送間にコマーシャル放送を配置するようにして上記合成データを生成する
請求項１に記載の情報受信装置。
【請求項６】
上記番組情報は、番組放送であり、
上記コマーシャル情報は、コマーシャル放送であり、
上記合成データ生成手段は、
上記条件設定手段の設定に従って、番組放送中にコマーシャル放送を配置するようにして上記合成データを生成する
請求項１に記載の放送受信装置。
【請求項７】
上記条件設定データ送信手段は、
上記合成データが出力され、当該合成データによる表示が実際に行われると、上記条件設定手段により設定された条件を表す条件設定データと共に、上記コマーシャル情報の表示回数を、上記コマーシャル情報を供給する供給元へ送信する
請求項１に記載の放送受信装置。
【請求項８】
コマーシャル情報に関する条件設定を行う条件設定ステップと、
上記条件設定手段により設定された条件を表す条件設定データを生成して、当該条件設定データを、上記コマーシャル情報を供給する供給元へ送信する条件設定データ送信ステップと、
上記条件設定ステップで設定された条件に基づいて、受信した番組情報と受信して格納手段に格納しているコマーシャル情報とを組み合わせて合成データを生成する合成データ生成ステップと、
上記合成データが出力されて上記コマーシャル情報が表示されているときに当該コマーシャル情報に関連するコマーシャル関連情報の要求が入力されると、当該要求に対応して、コマーシャル関連情報要求を、上記コマーシャル関連情報を供給する供給元へ送信するコマーシャル関連情報要求ステップと、
上記コマーシャル関連情報要求に応じて上記コマーシャル関連情報を供給する供給元から送信されたコマーシャル関連情報を受信する受信ステップと
を有する情報受信方法。
【発明の詳細な説明】
技術分野
本発明は、情報受信を行う情報受信装置および情報受信方法に関し、特に視聴者が情報内容を条件設定できる情報受信装置および情報受信方法に関する。
背景技術
現在、放送されるテレビ番組は、その番組を放送する放送局において番組とＣＭが固定的に配置され、視聴者は、そのように放送時点で番組およびＣＭの配置が固定された放送を受信し視聴することとなる。このようにＣＭが番組に配置される放送形態としては、時分割で番組とＣＭが交互に配置される形態、ＣＭをテロップとして番組に重ねてＣＭおよび番組を同時に放送する形態等があり、同一チャンネル上に番組およびＣＭが配置され放送される。
しかし、このような放送形態では、例えば、付加料金の支払いを引き替えとしたＣＭ削除要求、有料放送における課金の軽減を条件としたＣＭ受け入れ要求、放送されるＣＭのカテゴリー選択要求等のＣＭ放送に対する視聴者の希望は全く反映されないという問題点がある。
また、このような放送形態では、視聴者の年齢、性別、職業、趣味等とは無関係に一律なＣＭ放送が行われることとなるため、ＣＭの効率自体も悪いという問題点もある。
発明の開示
本発明はこのような点に鑑みなされたものであり、視聴者が個別にＣＭの表示可否設定および表示されるＣＭのカテゴリー設定を行うことができる情報受信装置および情報受信方法を提供することを目的とする。
本発明では上記課題を解決するために、情報受信装置において、番組情報を受信する第１の受信手段と、コマーシャル情報を受信する第２の受信手段と、第２の受信手段により受信されたコマーシャル情報を格納する格納手段と、コマーシャル情報に関する条件設定を行う条件設定手段と、条件設定手段により設定された条件を表す条件設定データを生成して、当該条件設定データを、コマーシャル情報を供給する供給元へ送信する条件設定データ送信手段と、条件設定手段により設定された条件に基づいて、番組情報と格納手段に格納されているコマーシャル情報とを組み合わせて合成データを生成する合成データ生成手段と、コマーシャル情報に関連するコマーシャル関連情報の要求が入力される要求入力手段と、合成データが出力されてコマーシャル情報が表示されているときに要求入力手段に当該コマーシャル情報に関連するコマーシャル関連情報の要求が入力されると、当該要求に対応して、コマーシャル関連情報要求を、コマーシャル関連情報を供給する供給元へ送信するコマーシャル関連情報要求手段と、コマーシャル関連情報要求に応じてコマーシャル関連情報を供給する供給元から送信されたコマーシャル関連情報を受信する第３の受信手段とを設けるようにする。
また情報受信方法において、コマーシャル情報に関する条件設定を行う条件設定ステップと、条件設定手段により設定された条件を表す条件設定データを生成して、当該条件設定データを、コマーシャル情報を供給する供給元へ送信する条件設定データ送信ステップと、条件設定ステップで設定された条件に基づいて、受信した番組情報と受信して格納手段に格納しているコマーシャル情報とを組み合わせて合成データを生成する合成データ生成ステップと、合成データが出力されてコマーシャル情報が表示されているときに当該コマーシャル情報に関連するコマーシャル関連情報の要求が入力されると、当該要求に対応して、コマーシャル関連情報要求を、コマーシャル関連情報を供給する供給元へ送信するコマーシャル関連情報要求ステップと、コマーシャル関連情報要求に応じてコマーシャル関連情報を供給する供給元から送信されたコマーシャル関連情報を受信する受信ステップとを設けるようにする。
発明を実施するための最良の形態
以下、本発明の実施の形態を図面を参照して説明する。
まず、第１の実施の形態について説明する。
図１は、第１の実施の形態における略線図である。本形態の放送システム１は、番組およびＣＭの放送等を行う放送装置１０および放送を受信する視聴者所有の放送受信装置２０によって構成されている。
放送装置１０は、番組放送を送信する番組送信手段１１およびＣＭ放送を送信するＣＭ放送手段１２を有しており、放送受信装置２０は、番組放送を受信する番組受信手段であるＣｈ．Ａチューナ２１、ＣＭ放送を受信するＣＭ受信手段であるＣｈ．Ｂチューナ２２、Ｃｈ．Ｂチューナ２２で受信したＣＭ放送をＣＭデータとして記録する放送内容記録手段２３、表示する放送内容を制御し、表示結果等を放送業者に送信する制御手段２４、ＣＭ放送の表示条件を入力する条件設定手段２５およびＣｈ．Ａチューナ２１で受信した番組データと放送内容記録手段２３から抽出したＣＭデータを合成する合成器２６によって構成されている。
放送内容記録手段２３は、Ｃｈ．Ｂチューナ２２、合成器２６および制御手段２４と電気的に接続されており、制御手段２４は条件設定手段２５と電気的に接続されている。そして、Ｃｈ．Ａチューナ２１は、合成器２６と電気的に接続されている。
次に、本形態における放送システム１の動作について説明する。
まず、放送システム１を利用する視聴者は、各自が所有している放送受信装置２０の条件設定手段２５を用い、ＣＭの表示条件設定を行う。設定する表示条件としては、例えばＣＭ表示の有無、表示するＣＭの分類、視聴者の性別、年齢、職業、趣味等が挙げられる。
条件設定手段２５によって入力された表示条件は、制御手段２４に送られ、制御手段２４内のＲＡＭ（Ｒａｎｄｏｍ  Ａｃｃｅｓｓ  Ｍｅｍｏｒｙ）等の記録装置に記録される。一方、放送装置１０は、番組内容にかかる番組放送を番組送信手段１１により送信し、ＣＭ内容にかかるＣＭ放送をＣＭ送信手段１２により送信する。このとき、番組放送とＣＭ放送はそれぞれ別チャンネルで送信され、今の場合、番組放送はＣｈ．Ａ、ＣＭ放送はＣｈ．Ｂにより送信される。
送信された番組放送およびＣＭ放送は、視聴者が所有する放送受信装置２０によってチャンネルごとに受信される。今の場合、番組放送はＣｈ．Ａチューナ２１によって受信され、ＣＭ放送はＣｈ．Ｂチューナによって受信されることとなる。そして、受信された番組放送およびＣＭ放送は、それぞれ番組データおよびＣＭデータとして放送受信装置２０に取り込まれる。取り込まれた番組データは合成器２６に達し、ＣＭデータは放送内容記録手段２３に記録される。
放送内容記録手段２３に記録されたＣＭデータは、制御手段２４内の記録装置に記録された設定条件に従って呼び出され、呼び出されたＣＭデータは合成器２６に達する。そして、合成器２６に達したＣＭデータは、番組データと合成されディスプレイに出力される。
図２は、Ｃｈ．Ａの番組データ３１とＣｈ．ＢのＣＭデータ３２が合成される様子を示した図である。この図の横軸は時間軸を示している。
放送装置１０の番組送信手段１１は、Ｃｈ．Ａにより番組内容を一定時間継続して放送し、その後、一定時間番組内容の放送を止め、その後、再び番組内容を一定時間継続して放送するという具合に、番組内容放送、番組内容放送の休止を繰り返す。そのため、Ｃｈ．Ａが受信する番組データ３１は、一定時間継続して放送されるＡ１、Ａ２、Ａ３の番組および各番組間をつなぐ番組が放送されない休止区間３１ａにより構成される。
また、放送装置１０のＣＭ送信手段１２は、Ｃｈ．ＢによりＣＭ内容を一定時間継続して放送する。そのため、Ｃｈ．Ａが受信するＣＭデータ３２は、ａ、ｂ、ｃ等のＣＭのみにより構成されている。
放送内容記録手段２３に記録されたＣＭデータ３２は、制御手段２４内の記録装置に記録された設定条件に従って選定される。図２の場合、設定条件によりＣＭデータ３２の中から、ａ、ｃおよびｆのＣＭが選定されている。このように選定されたＣＭは、番組データ３１の休止区間３１ａとタイミングが一致するように呼び出され、合成器２６に送られる。
合成器２６では、Ｃｈ．Ａから送られてきた番組データ３１と上記のように放送内容記録手段２３から呼び出されたＣＭを合成し、ＣＭ合成データ３３を作成する。ＣＭ合成データ３３は、番組データ３１を構成する番組と同じタイミングで配置されたＡ１、Ａ２、Ａ３の番組および番組データ３１の休止区間３１ａと同じタイミングで配置されたａ、ｃ、ｆのＣＭにより構成される。
このように作成されたＣＭ合成データ３３はディスプレイへ送られ、このＣＭ合成データ３３によりディスプレイ表示を行う。
このように実際に表示が行われると、制御手段２４は、顧客情報、表示条件等の顧客要求およびＣＭ表示回数等の情報を放送業者に送信する。顧客情報、表示条件等の顧客要求およびＣＭ表示回数等の情報を受けた放送業者は、その情報をもとに各視聴者の番組視聴料金等の設定を行う。
以上のように、本形態では、放送装置１０によって番組放送およびＣＭ放送を別チャンネルで送信し、放送受信装置２０は、別チャンネルで送信されてきた番組放送およびＣＭ放送をそれぞれ番組データ３１およびＣＭデータ３２として受信し、ＣＭデータ３２をいったん放送内容記録手段２３に記録し、制御手段２４は事前に条件設定手段２５により設定された条件に従い記録されたＣＭデータ３２からＣＭを呼び出し、番組データ３１の休止区間３１ａに配置してＣＭ合成データ３３を作成し、ＣＭ合成データ３３をディスプレイ表示することとしたため、視聴者は、視聴者個人の希望を反映させたＣＭのみを視聴することが可能となる。
また、本形態では、視聴者個人が条件設定したＣＭのみを集中してその視聴者のディスプレイに表示させることとしたため、ＣＭの宣伝効率を大幅に向上させることができる。
なお、本形態では、番組データ３１の休止区間３１ａにＣＭを配置することとしたが、番組データ３１の番組にＣＭをテロップとして重ねることとしてもよい。
次に、第２の実施の形態について説明する。
図３は、第２の実施の形態における系統図である。
本形態の放送システム１は、番組およびＣＭの放送等を行う放送装置１０および放送を受信する視聴者所有の放送受信装置２０によって構成されている。
放送装置１０は、番組放送を送信する番組送信手段１１およびＣＭ放送を送信するＣＭ放送手段１２を有しており、放送受信装置２０は、番組放送を受信する番組受信手段であるＣｈ．Ａチューナ２１、ＣＭ放送を受信するＣＭ受信手段であるＣｈ．Ｂチューナ２２、Ｃｈ．Ａチューナ２１で受信した番組放送を番組データとしておよびＣｈ．Ｂチューナ２２で受信したＣＭ放送をＣＭデータとして記録する放送内容記録手段２３、表示する放送内容を制御し、表示結果等を放送業者に送信する送信制御手段２４およびＣＭ放送の表示条件を入力する条件設定手段２５によって構成されている。
放送内容記録手段２３は、Ｃｈ．Ａチューナ２１、Ｃｈ．Ｂチューナ２２および制御手段２４と電気的に接続されており、制御手段２４は条件設定手段２５と電気的に接続されている。
次に、本形態における放送システム１の動作について説明する。
まず、放送システム１を利用する視聴者は、各自が所有している放送受信装置２０の条件設定手段２５を用い、ＣＭの表示条件設定を行う。条件設定手段２５によって入力された表示条件は、制御手段２４に送られ、制御手段２４内の記録装置に記録される。
一方、放送装置１０は、番組放送を番組送信手段１１により送信し、ＣＭ放送をＣＭ送信手段１２により送信する。このとき、番組放送とＣＭ放送はそれぞれ別チャンネルで送信され、図３の場合、番組放送はＣｈ．Ａ、ＣＭ放送はＣｈ．Ｂにより送信される。
送信された番組放送およびＣＭ放送は、放送受信装置２０によってチャンネルごとに受信される。今の場合、番組放送はＣｈ．Ａチューナ２１によって受信され、ＣＭ放送はＣｈ．Ｂチューナによって受信されることとなる。そして、受信された番組放送およびＣＭ放送は、それぞれ番組データおよびＣＭデータとして放送内容記録手段２３に記録される。
放送内容記録手段２３に記録された番組データおよびＣＭデータは、制御手段２４内の記録装置に記録された設定条件に従って合成され、ディスプレイに出力される。
図４は、Ｃｈ．Ａの番組データ３１とＣｈ．ＢのＣＭデータ３２が合成される様子を示した図である。この図の横軸は時間軸を示している。
放送装置１０の番組送信手段１１は、Ｃｈ．Ａにより番組内容を一定時間継続して放送する。そのため、Ｃｈ．Ａが受信する番組データ３１は、Ａ１、Ａ２，Ａ３の番組のみにより構成されている。
また、放送装置１０のＣＭ送信手段１２は、Ｃｈ．ＢによりＣＭ内容を一定時間継続して放送する。そのため、Ｃｈ．Ｂが受信するＣＭデータ３２は、ａ、ｂ、ｃ等のＣＭのみにより構成されている。
制御手段２４は、すべての番組データ３１および条件設定手段２５によって設定された条件に従ってＣＭデータ３２から選定したＣＭを、放送内容記録手段２３から読み出し、番組の前後にＣＭを配置してＣＭ合成データ３３を作成していく。図４の場合、ａ、ｃ、ｆのＣＭが選定され、番組Ａ１の前にａのＣＭ、番組Ａ１とＡ２の間にｃのＣＭ、番組Ａ２とＡ３の間にｆのＣＭがそれぞれ配置される。この場合、連続して発信されてきた番組データの間にＣＭを挿入していくこととなるため、ＣＭ合成データ３３は挿入したＣＭの分だけ遅れていくことになる。なお、視聴者がＣＭ表示を拒否した場合、ＣＭは挿入されないため、ＣＭ合成データ３３が番組データ３１に対し遅れることはない。
このように作成されたＣＭ合成データ３３はディスプレイへ送られ、このＣＭ合成データ３３によりディスプレイ表示を行う。
このように実際に表示が行われると、制御手段２４は、顧客情報、表示条件等の顧客要求およびＣＭ表示回数等の情報を放送業者に送信する。顧客情報、表示条件等の顧客要求およびＣＭ表示回数等の情報を受けた放送業者は、その情報をもとに各視聴者の番組視聴料金等の設定を行う。
以上のように、本形態では、放送装置１０によって番組放送およびＣＭ放送を別チャンネルで送信し、放送受信装置２０は、別チャンネルで送信されてきた番組放送およびＣＭ放送をそれぞれ番組データ３１およびＣＭデータ３２として受信し、受信した番組データ３１およびＣＭデータ３２をいったん放送内容記録手段２３に記録し、制御手段２４は、番組データ３１および設定された条件に従いＣＭデータ３２から選定されたＣＭを放送内容記録手段２３から読み出し、それらを交互に配置してＣＭ合成データ３３を作成し、ＣＭ合成データ３３をディスプレイ表示することとしたため、視聴者は、視聴者個人の希望を反映させたＣＭのみを視聴することが可能となる。
また、本形態では、視聴者個人が条件設定したＣＭのみを集中してその視聴者のディスプレイに表示させることとしたため、ＣＭの宣伝効率を大幅に向上させることができる。
なお、本形態では、番組データ３１の番組間にＣＭを配置することとしたが、番組データ３１の番組にＣＭをテロップとして重ねることとしてもよい。
次に、第３の実施の形態について説明する。
図５は、第３の実施の形態における系統図である。
本形態の放送システム１は、番組およびＣＭの放送等を行う放送装置１０および放送を受信する視聴者所有の放送受信装置２０によって構成されている。
放送装置１０は、番組放送を送信する番組送信手段１１およびＣＭ放送を送信するＣＭ放送手段１２を有しており、放送受信装置２０は、番組放送およびＣＭ放送を受信する番組受信手段およびＣＭ受信手段であるＣｈ．Ａチューナ２１、Ｃｈ．Ａチューナ２１で受信した番組放送およびＣＭ放送を番組データおよびＣＭデータとして記録する放送内容記録手段２３、表示する放送内容を制御し、表示結果等を放送業者に送信する送信制御手段２４およびＣＭ放送の表示条件を入力する条件設定手段２５によって構成されている。
放送内容記録手段２３は、Ｃｈ．Ａチューナ２１および制御手段２４と電気的に接続されており、制御手段２４は条件設定手段２５と電気的に接続されている。
次に、本形態における放送システム１の動作について説明する。
まず、放送システム１を利用する視聴者は、各自が所有している放送受信装置２０のＣＭの表示条件設定を行う。
放送装置１０は、番組放送を番組送信手段１１により送信し、ＣＭ放送をＣＭ送信手段１２により送信する。このとき、番組放送とＣＭ放送は同一チャンネルで送信され、例えば、番組放送は昼間、ＣＭ放送は深夜という具合にそれぞれ時間帯をずらして送信される。
送信された番組放送およびＣＭ放送は、放送受信装置２０のＣｈ．Ａチューナ２１によって受信される。そして、受信された番組放送およびＣＭ放送は、それぞれ番組データおよびＣＭデータとして放送内容記録手段２３に記録される。
放送内容記録手段２３に記録された番組データおよびＣＭデータは、制御手段２４内の記録装置に記録された設定条件に従って合成され、ディスプレイに出力される。
図６は、Ｃｈ．Ａの番組データ３１とＣＭデータ３２が合成される様子を示した図である。この図の横軸は時間軸を示している。
放送装置１０のＣＭ送信手段１２および番組送信手段１１は、同一チャンネルにより、時間帯をずらしてＣＭ放送および番組放送を送信する。
放送装置１０のＣＭ送信手段１２は、ＣＭ内容を一定時間継続して放送する。そのため、Ｃｈ．Ａが受信するＣＭデータ３２は、ａ、ｂ、ｃ等のＣＭのみにより構成されている。
また、放送装置１０の番組送信手段１１は、番組内容を一定時間継続して放送する。そのため、Ｃｈ．Ａが受信する番組データ３１は、Ａ１、Ａ２，Ａ３の番組のみにより構成されている。
制御手段２４は、すべての番組データ３１および条件設定手段２５によって設定された条件に従ってＣＭデータ３２から選定したＣＭを、放送内容記録手段２３から読み出し、番組の前後にＣＭを配置してＣＭ合成データ３３を作成していく。
このように作成されたＣＭ合成データ３３はディスプレイへ送られ、このＣＭ合成データ３３によりディスプレイ表示を行う。
このように実際に表示が行われると、制御手段２４は、顧客情報、表示条件等の顧客要求およびＣＭ表示回数等の情報を放送業者に送信する。顧客情報、表示条件等の顧客要求およびＣＭ表示回数等の情報を受けた放送業者は、その情報をもとに各視聴者の番組視聴料金等の設定を行う。
以上のように、本形態では、放送装置１０によって番組放送およびＣＭ放送を時間帯をずらして同一チャンネルで送信し、放送受信装置２０は、送信されてきた番組放送およびＣＭ放送をそれぞれ番組データ３１およびＣＭデータ３２として受信し、受信した番組データ３１およびＣＭデータ３２をいったん放送内容記録手段２３に記録し、制御手段２４は、番組データ３１および設定された条件に従いＣＭデータ３２から選定されたＣＭを放送内容記録手段２３から読み出し、それらを交互に配置してＣＭ合成データ３３を作成し、ＣＭ合成データ３３をディスプレイ表示することとしたため、視聴者は、視聴者個人の希望を反映させたＣＭのみを視聴することが可能となる。
また、本形態では、視聴者個人が条件設定したＣＭのみを集中してその視聴者のディスプレイに表示させることとしたため、ＣＭの宣伝効率を大幅に向上させることができる。
なお、本形態では、番組データ３１の番組間にＣＭを配置することとしたが、番組データ３１の番組にＣＭをテロップとして重ねることとしてもよい。
さて、番組放送を構成する番組データ３１においてＡ１，Ａ２，Ａ３で示されるそれぞれを番組ブロックと定義すると、この番組ブロックを特定するアドレスデータが図７にしめすように各番組ブロックの所定の位置例えば先頭にそれぞれＡＤ１，ＡＤ２，ＡＤ３として挿入されている。
また、同様にＣＭデータ３２においてａ，ｂ，ｃ、ｄ、ｅ，ｆ、・・で示されるそれぞれをＣＭブロックと定義すると、夫々のブロックの所定位置例えば先頭にこのＣＭブロックを特定するＣＭアドレスデータＡＤＣＭ１、ＡＤＣＭ２、…ＡＤＣＭ５，ＡＤＣＭ６が図８に示すように挿入されている。
さらに、図８に示すようにそれぞれのＣＭブロックａ，ｂ，ｃ，ｄ，ｅ，ｆ，には、ＣＭアドレスデータに続き、そのＣＭブロックの分類を示すデータＣＬ１，ＣＬ２、ＣＬ３，ＣＬ１、ＣＬ２、ＣＬ３として挿入されている。従ってここではＣＭブロックａとｄ，ＣＭブロックｂとｅ，ＣＭブロックｃとｆは同じ分類に属するＣＭデータとされる。
例えば、図８に示すように、ＣＭブロックａとｄは化粧品に関するＣＭデータ、ＣＭブロックｂとｅは自動車に関するＣＭデータ、ＣＭブロックｃとｆは家庭用品に関するＣＭデータとすることができる。
もちろん、ＣＭブロックａとｄは同じ化粧品のＣＭであってもよいし、同じ会社の異なる化粧品のＣＭであってもよいし、また異なる会社の化粧品であってもよい。これはまた、ＣＭブロックｂとについても同じことである。即ち、同じ車種のＣＭであってもよく、また同じ会社の異なる車種のＣＭであってもよいし、また異なる会社のＣＭであってもよい。
図５記載の第3の実施例にもとづいて図８、図９を用いてより詳細に説明する。図５における条件設定手段２５のより詳細な一例を図９に示す。
図９は全体として条件設定手段２５を示し、表示画面を含む例えば情報端末装置２５１とこの条件を入力するための入力手段としての例えばマウス２５２とからなる。もちろんこの表示画面は情報端末装置２５１に含まれる必要はなく、例えば図５には図示されてはいないディスプレイを使用することも可能である。
さて、図９において情報端末装置２５１の表示画面にはＣＭ条件ウインドウ２５３とＣＭ分類指定ウインドウ２５４とが表示され、視聴者が希望するＣＭ条件、ＣＭ分類をマウス２５２を使用して、表示画面上のカーソル２５５によって指定するようになっている。
例えば、視聴者が有料放送による課金の軽減を希望してＣＭの付加を要求する場合にはカーソル２５５を移動させてＣＭ条件ウインドウ２５３の「付加」の項目を選択してマウスをクリックすればよい。
もし、視聴者が多少料金を多く支払っても、ＣＭが削除された番組を楽しみたいときにはＣＭ条件ウインドウ２５３の「削除」の項目を選択してマウスをクリックすればよい。
またもし、ある特定のＣＭのみを要求する場合には同様にＣＭ条件ウインドウ２５３の「分類要求」の項目を選択してマウスをクリックすればよい。
さらに、上述したＣＭ条件ウインドウ２５３によりＣＭの分類要求をおこなったときには、視聴者は表示装置のＣＭ分類ウインドウ２５４に表示される分類から希望するＣＭ分類を選択することができるようになされている。この場合はマウス２５２によりカーソル２５５をＣＭ分類ウインドウ内に移動させて、希望するＣＭ分類を選択してクリックする。
以上のようにして視聴者によって設定された条件設定データは情報端末２５１（条件設定手段２５）から制御手段２４に送出される。制御手段２４では条件設定手段から得られた条件設定データを放送業者に送出するとともに、制御データを放送内容記録手段２３に送出する。
放送内容記録手段２３では記録された番組データとＣＭデータとを制御手段２４からの制御データによって、定められた順序に組み合わされてＣＭ合成データとしてディスプレイに送出される。
今、視聴者がＣＭ条件ウインドウ２５３で「付加」を選択した場合には、図６に示されるようにＣＭの内容、分類に関係なくＣＭ送信手段から送信され放送内容記録手段２３に記録された全てのＣＭ（ａ，ｂ，ｃ，ｄ，ｅ，ｆ）がそれぞれ順番に番組ブロックの間に挿入されて、ＣＭ合成データ３３としてディスプレイに表示される。
また、視聴者が条件ウインドウ２５３で「削除」を選択した場合には、図１０に示されるように、番組データ３１のみが放送内容記録手段２３からディスプレイに送出され、表示されるようになっている。
また、視聴者が条件ウインドウ２５３で分類要求を選択した後、ＣＭ分類ウインドウ２５４で例えば「化粧品」を選択した場合には、放送内容記録手段２３は、制御手段２４からの制御データに基づいて、図８に示すＣＭデータ３２から化粧品に関するＣＭデータのみを抽出して図１１に示すように番組データ３１の各番組ブロックＡ１，Ａ２，・・の間に挿入して分類ＣＭ合成データを作成する。この作成された分類ＣＭ合成データがディスプレイに表示される。
また、視聴者がＣＭ分類ウインドウ２５４で「自動車」を選択した場合には上述した場合と同様にして、放送内容記録手段２３は図１２に示すように番組データ３１の各番組ブロックＡ１，Ａ２，・・の間に自動車に関するＣＭデータだけが挿入された分類ＣＭ合成データを作成する。この作成された分類ＣＭ合成データがディスプレイに表示される。
尚、図９においてＣＭ条件ウインドウ２５３には３種類のＣＭ条件だけが表示されているが、これは説明を簡単にするためであって、実際上はさらにいろいろな条件を設定させることは当業者にとっては容易に理解できる。上述したようにＣＭの表示回数もその条件のひとつである。
ＣＭ表示回数を指定する場合にあっては、９０％、８０％…３０％、２０％、１０％等の指定を行うことができる。例えば「９０％」の指定を行えば番組データブロック１０個に対して９個のＣＭデータを組み合わせるようにする。以下番組データブロック１０個に対して、「８０％」の指定では８個の、「７０％」の指定では７個の、…「３０％」の指定では３個の、「２０％」の指定では２個のＣＭデータを組み合わせたＣＭ合成データを作成することができる。
図１３に９０％指定と３０％指定の例を示す。９０％指定のときはＣＭ１に続いて番組ブロックＡ１、ＣＭ２、Ａ２，ＣＭ３，Ａ３、…
ＣＭ９、Ａ９となり、ここまではＣＭブロックと番組ブロックが交互に配置され、番組ブロックＡ９の後に番組ブロック１０が続けて配置される。即ち１０個の番組ブロックに対し、９個のＣＭブロックが配置されることになる。
同様に３０％指定の場合は、ＣＭ１の後に、Ａ１，ＣＭ２，Ａ２，ＣＭ３，Ａ３と配置され、Ａ３のあとには番組ブロックだけがＡ４，Ａ５，Ａ６，・・Ａ９、Ａ１０と配置される。即ち１０個の番組ブロックに対して３個のＣＭブロックが配置されることになる。
このＣＭ表示回数に関するデータは放送業者にも送出される。放送業者はこのＣＭ表示回数に関するデータにもとづいて料金の設定をおこなうことができる。
番組ブロックには図７に示すように、それぞれのブロックを示すアドレスが付与されている。即ち番組ブロックＡ１，Ａ２，Ａ３にはＡＤ１，ＡＤ２，ＡＤ３が夫々付与されている。
またＣＭブロックにも同様に図８に示すように夫々のブロックを示すアドレスが付与されている。さらにＣＭブロックにはアドレスに続きＣＭの分類を示すデータが付与されている。図８においては、このＣＭの分類を示すデータとして「ＣＬ１」が化粧品を、「ＣＬ２」が自動車を、「ＣＬ３」が家庭用品を表す分類データとされている。
放送内容記録手段２３は制御手段２４からの制御データに基づいて、番組ブロックとＣＭブロックをアドレスにもとづいて組み合わせる。例えば、条件設定手段２５によりＣＭ条件「付与」が選択されると、制御手段２４によって制御データが放送内容記録手段２３に供給され、放送内容記録手段２３では図７に示す番組ブロックのアドレスＡＤ１を有する番組ブロック（Ａ１）と図８に示すＣＭブロックのアドレスＡＤＣＭ１を有するＣＭブロック（ａ）とを組み合わせる。
次に同様にしてアドレスＡＤ２とＡＤＣＭ２に基づいて番組ブロック（Ａ２）とＣＭブロック（ｂ）と、以下同様にして、番組ブロック（Ａ３）とＡＤＣＭ３のＣＭブロックとを順次組み合わせる。このようにして放送内容記録手段２３は図８に示すように番組ブロックとＣＭブロックを組み合わせたＣＭ合成データを作成してディスプレイ装置２６に供給する。
また、条件設定手段２５によってＣＭの分類要求を行った場合、例えば視聴者が化粧品のＣＭのみを希望した場合は、放送内容記録手段２３は記録されているＣＭブロックの中から、化粧品のＣＭであることを示す分類データ「ＣＬ１」を有するＣＭブロックのみを選択し、番組ブロックと組み合わせる。例えば図７に示すアドレスＡＤ１が付与された番組ブロックＡ１と図８に示す分類データ「ＣＬ１」とアドレスＡＤＣＭ１を有するＣＭブロックａとを組み合わせ、次に同様にして番組ブロックＡ２と分類データ「ＣＬ１」アドレスＡＤＣＭ４を有するＣＭブロックｄとを組み合わせる。このようにして、放送内容記録手段２３は図１１、または図１２に示す分類ＣＭ合成データを作成してディスプレイ装置２６に供給する。
さらにまた、本発明は以下の変形例も考慮される。即ち図１４に示す本発明に係る構成は図５に示す構成に、ＣＭ関連情報メモリ２８を付加するとともに、放送装置１０を番組提供手段１０に、放送受信装置２０を番組受信手段２０に変えるとともに番組提供手段１０と番組受信手段２０とを双方向のバスあるいはネット２７で接続する構成とする。このように構成によれば制御手段２４からの制御データはこの双方向バスまたはネット２７を介して、番組提供手段１０に送信される。
ＣＭ関連情報メモリ２８にはＣＭ送信手段１２から送信されるＣＭデータに関連する種々の情報が格納されている。このＣＭ関連情報は通常は番組受信装置側には送信されないが、視聴者から要求があったときのみバスまたはネット２７を通じて番組受信手段に送信され、放送内容記録手段２３に記録される。
視聴者がＣＭをみているときに、より詳細な情報が知りたい場合には、条件設定手段２５により、ＣＭ関連情報要求を行えばその要求が要求情報として制御手段を介してバスまたはネット２７に供給され、この要求情報を受けて番組供給手段１０はＣＭ関連情報メモリ２８より、所定のＣＭ関連情報を抽出して、ＣＭ送信手段１２、バスまたはネット２７を介して番組受信手段２０の放送内容記録手段に記録される。
このように構成すれば、例えば視聴者がＣＭ分類要求をして好みのＣＭだけをみたときに、さらにそのＣＭの関連情報を確認することができる。より詳細には、例えば自動車のＣＭを見た場合に、その排気量とかモデルの数とか、あるいは種々のオプション装置、値段、支払い方法等カーディーラーに通常用意されているカタログ等に掲載されている情報を知ることができる。
以上説明したように本発明では、放送装置から送信されてきた番組放送およびＣＭ放送をそれぞれ受信し、受信した放送を放送内容記録手段に記録し、制御手段は、設定された条件に従い、表示するＣＭ合成データを作成することとしたため、視聴者は、視聴者個人の希望を反映させたＣＭのみを視聴することが可能となる。
また、本発明では、視聴者個人が条件設定したＣＭのみを集中してその視聴者のディスプレイに表示させることとしたため、ＣＭの宣伝効率を大幅に向上させることができる。
産業上の利用の可能性
本発明は、コマーシャル情報を含む放送情報を放送する放送システムに利用できる。
【図面の簡単な説明】
図１は、第１の実施の形態における系統図である。
図２は、Ｃｈ．Ａの番組データとＣｈ．ＢのＣＭデータが合成される様子を示した略線図である。
図３は、第２の実施の形態における系統図である。
図４は、Ｃｈ．Ａの番組データとＣｈ．ＢのＣＭデータが合成される様子を示した略線図である。
図５は、第３の実施の形態における系統図である。
図６は、Ｃｈ．Ａの番組データとＣＭデータが合成される様子を示した路線図である。
図７は、番組放送情報を示す略線図である。
図８は、ＣＭデータを示す略線図である。
図９は、図５の条件設定手段２５の詳細を示す略線的統計図である。
図１０は、番組データを示す略線図である。
図１１は、件分類ＣＭ合成データを示す略線図である。
図１２は、件分類ＣＭ合成データを示す略線図である。
図１３は、ＣＭ表示回数を指定した場合のＣＭ合成データを示す略線図である。
図１４は、他の実施の形態における番組提供手段を示す系統図である。
【図１】
0004569794.tif 000002
【図２】
0004569794.tif 000003
【図３】
0004569794.tif 000004
【図４】
0004569794.tif 000005
【図５】
0004569794.tif 000006
【図６】
0004569794.tif 000007
【図７】
0004569794.tif 000008
【図８】
0004569794.tif 000009
【図９】
0004569794.tif 000010
【図１０】
0004569794.tif 000011
【図１１】
0004569794.tif 000012
【図１２】
0004569794.tif 000013
【図１３】
0004569794.tif 000014
【図１４】
0004569794.tif 000015
0004569794.tif 000016